(57)【要約】【課題】従来の駐車装置では、車両を入庫するときに、タイヤにより接触してスイッチが入る停車位置をそなえていた。しかし、タイヤの空気圧により正常位置前か過ぎた位置に停止することになり、事故の原因をつくっていた。本発明は、タイヤ位置をより正確にするため、タイヤの前側面と後側面を検知することで安全な入出庫処理ができる検出装置を提供する。【解決手段】車両Ｃを入出庫させる乗込場Ｓの乗入床７に、乗入床７に停車する車両Ｃの停車位置１１と、停車位置１１にタイヤ１７が収まる凹部２０と、凹部２０にタイヤ１７を検出する検出器８・９と、検出器８・９が車両Ｃのタイヤ１７を検知する信号と、信号を表示させる表示手段１５とを設け、検出する位置はタイヤの前方接地側２１と後方接地側２２とを検知可能に配置する構成にする。【選択図】  図２
2006029038.tif 000002
【特許請求の範囲】
【請求項１】
昇降空間を昇降する昇降リフトと、昇降空間に隣接して複数階に設けた駐車室と、駐車室に配置して昇降空間まで往復動する横行トレイと、前記昇降リフトと横行トレイとがすれ違うことで車両を受渡し可能にする駐車装置において、
車両を入出庫させる乗込場と、乗込場を乗入床と昇降リフトにより形成する平面状の乗込面と、乗込面に停車する車両の停車位置と、停車位置にタイヤが収まる凹部と、凹部にタイヤを検出する検出器と、検出器が車両のタイヤを検知する信号と、信号を表示させる表示手段とを設け、
検出する位置はタイヤの前方接地側と後方接地側とを検知可能に配置することを特徴とするタイヤ検出装置。
【請求項２】
検出器は、乗込面の凹部に備え、乗入床に発光器と受光器を内蔵して、反射板を昇降リフトの内側に備え、発光器から光軸を外方向に発光させ、反射板で受光器に検知させて、前方接地側と後方接地側の少なくとも一方の検出器がタイヤを検知できなければ、停車位置にいない信号を出力することを特徴とする請求項１記載のタイヤ検出装置。
【発明の詳細な説明】
【技術分野】
【０００１】  本発明は、駐車塔に入庫する車両に、乗込場に車両が停車する最適な位置を検知して知らせる車両のタイヤ検出装置に関するものである。
【背景技術】
【０００２】  従来の車両停止位置は、乗込場に車両が停止するのに最適な位置を備え、その位置に車両を停車させることで、安全に入庫させることができる。停止位置には、車両の運転者に停止位置に停止したことが分かるように表示する光・音等による表示手段を備えている。【０００３】  駐車装置の乗込場には、入庫可能な車両寸法をチェックする寸法検出装置が備えられている。車両寸法は、車長・車幅・車高の寸法であり、その寸法を調べて、駐車室に入るか入らないかを光電管の光軸を張り巡らせて行っている。寸法検出装置は、駐車室に車両が入る最大寸法で検出を行うために、乗込場に停車する車両位置を正確にすることで、安全に入庫させることができる。【０００４】  車両停車位置は、車両の前輪のタイヤを基準にして、乗込床に車両のタイヤの中心が停止できるように形状の凹部にして、タイヤが踏む重量でスイッチが入り検出している。
入庫の乗込みは、タイヤが停車位置に収まるように、車両を運転して表示手段の指示による前進・後退の移動をする。表示手段は、タイヤが停止位置に収まり、寸法検出装置に検知されなければ、入庫可能の表示がされ、寸法からはみ出す車両には入庫不可の表示がされる。【０００５】
【特許文献１】特開２００２−３２７５５０    公報
【発明の開示】
【発明が解決しようとする課題】
【０００６】  停止位置検出装置は、タイヤの中心を検知することで、検出タイヤを基準にして車両の外寸をチェックしていた。入庫は、操作盤により入庫する駐車室を指定すると、昇降リフトが車両を搭載した状態で、乗込場から昇降する。駐車室は、横行トレイが配置されて、昇降リフトを上方に停止させ下段に横行トレイを横行させる。昇降リフトは、下降させて横行トレイに車両を受け渡しする。横行トレイは、停止位置と同じ位置に凹部をつくり車両を停止させている。入庫車は、この凹部の底にタイヤが収まることで、地震・台風等の振動・揺れでも安定した駐車位置を確保することができる。【０００７】  しかし、タイヤが円状態のときに正常な機能を果たすもので、図５に示すようにタイヤの空気圧が低く楕円状態で停止位置に進行すると、正常位置より早目に検知するもので、凹部の底に到達前でサイドブレーキを掛けて停車させることになる。空気圧の低いタイヤの車両は、横行トレイに搭載され、駐車室に収納される。この状態で出庫も行われればよいが、凹部の底に滑って移動すると、車両が前進したことになり、乗込場の寸法検出装置が正常に作動する。長い車長で先端が僅かな距離で入庫可能の検出をした車両では危険状態になり、事故の原因をつくることになるという問題があった。【０００８】  本発明は、空気圧によるタイヤ形状が異なっても正常位置に停車することができる停止位置検出装置を提供するものであり、タイヤの検出位置を前後端の２箇所にして、タイヤ前端側面と後端側面を検知させ、タイヤの中心部を停止位置に止める構成である。
【課題を解決するための手段】
【０００９】  請求項１の発明では、昇降空間を昇降する昇降リフトと、昇降空間に隣接して複数階に設けた駐車室と、駐車室に配置して昇降空間まで往復動する横行トレイと、前記昇降リフトと横行トレイとがすれ違うことで車両を受渡し可能にする駐車装置に採用するものである。車両を入出庫させる乗込場は、乗込場を乗入床と昇降リフトにより形成することで、平面状の通路になる乗込面にしている。乗込面は、入庫車両の位置決めをする停車位置を備えている。【００１０】停車位置には、タイヤが収まる凹部を備え、凹部にタイヤを検出する検出器を備えている。検出器は、車両のタイヤを検知する信号により、信号を表示させる表示手段を設けている。検出する位置は、タイヤの前方接地側と後方接地側とを検知する配置にする構成とする。【００１１】請求項２の発明では、検出器を乗込面の凹部に備え、乗入床に発光器と受光器を内蔵して、反射板を昇降リフトの内側に備え、発光器から光軸を外方向に発光させ、反射板で受光器に検知させる。車両は、タイヤの前方接地側と後方接地側の少なくとも一方の検出器が検知できなければ、停車位置にいないことを出力する構成とする。【００１２】  請求項１の構成では、検出器を中心から間隔を付けた２箇所の検知で作動することで、空気圧の低いタイヤでも、停止位置に停止させる作用がある。【００１３】  請求項２の構成では、検出器を近くで検知できるため、検出精度を上げることができると共に、出力が小さくてすみ小型にできる作用がある。
【発明の効果】
【００１４】  請求項１の発明では、入庫する車両のタイヤを停止位置に正確に収めることができる効果がある。
請求項２の発明では、検出精度が高く、小型安価にできる効果がある。
【発明を実施するための最良の形態】
【００１５】  本発明は、駐車装置１に入庫する車両Ｃが乗込場Ｓの停止位置１１に正確に停車させることができる検出装置である。検出装置は、乗込場Ｓを走行させて、車両Ｃのタイヤ１７が停止位置１１に備えた光電管の通光が遮光されたときに、タイヤ位置を検知することができる装置である。【００１６】車両Ｃの停止位置１１は、駐車室Ｘ・Ｙに収納する車両Ｃのサイズを測るときの基準位置になるもので、本説明では車両Ｃの前輪を停止位置１１に停止させて、車両Ｃの前端と後端と側面のサイズを測定するものである。サイズ内であれば、駐車室Ｘ・Ｙに安全に収納することができる。【００１７】  図１は、駐車装置１を示し、中央に昇降空間Ｅを備え昇降リフト２が昇降可能にしている。駐車室Ｘ・Ｙは、昇降空間Ｅに隣接して、横行トレイ３を配置しており、駐車室Ｘ・Ｙと昇降空間Ｅとに備えた横行装置により横行トレイを往復動可能にしている。
昇降リフト２の昇降は、昇降空間Ｅの上方に昇降装置２４があり、ガイドレール４に案内されて鉛直方向に巻上げ・巻戻しすることで、指定された駐車階に昇降することができる。ガイドレール４は、昇降空間Ｅの４隅に配置され、昇降リフト２の前後端の吊り部を支持して索状体１４により吊下げられて、昇降装置２４の巻上げ・巻き戻しすることで、鉛直方向に案内することができる。【００１８】  昇降リフト２は、左右一対に分割されて、吊り部間の車長より長い間を固定部材１３により連結して、リフトホーク５を内側に櫛形状の水平に突出させて昇降するもので、リフトホーク５に車両Ｃのタイヤを搭載して、横行トレイ３のトレイホーク６にすれ違い車両Ｃを移載する。トレイホーク６は、横行トレイ３の中央部にフレームを備え、フレームから左右方向の外側へ櫛形状に突出して、リフトホーク５とすれ違い可能に配置している。【００１９】  乗込場Ｓは、地上面ＧＬの道路に面して、車両Ｃの乗り入れ・乗り出しができるように、水平な平面状の乗入床７にしている。乗入床７は、縞鋼板により固定された床と昇降リフト２の噛み合うトレイホーク６によって隙間の少ない通路を形成する。乗込場Ｓの正面には、車両Ｃの正面が見えるミラー１６が配置されている。ミラー１６の上方には、前進・後退・停止を車両Ｃの運転手に見えるように表示される表示灯１５が設置されている。【００２０】図２は、駐車装置１の側面図であり、乗込場Ｓの乗入床７が地上面ＧＬと一線上に設置され、車両Ｃが停止位置１１に乗り入れている。出入口１８には、ゲート１９が上下動可能に備えられている。停止位置１１は、リフトホーク５とトレイホーク６が重なって一体の通路を形成して、タイヤ１７が落ち込む凹部２０を備えている。【００２１】凹部２０には、タイヤ１７を検知する検出装置である第１検出器８と第２検出器９が設けられている。検出装置は、タイヤ１７の前端側面２１を検知する第１検出器８と、タイヤ１７の後端側面２２を検知する第２検出器９との信号により、停止位置にタイヤ１７があることを判断する。【００２２】信号は、第１検出器８及び第２検出器９の光軸２３が同時に遮光したときに発信するもので、タイヤ１７径の大小に適した位置に備えてある。
本実施形態では、第１検出器８と第２検出器９が車両Ｃの前輪の左右に設けたもので説明しているが、左右のどちらか一方に備えてもよい。また、第１検出器８と第２検出器９を別々に分ける構成にして、例えば前輪の右側を第１検出器８にして、前輪の左側を第２検出器９にしてもよい。【００２３】  図３は、乗入床７上を走行する車両Ｃが、リフトホーク５とトレイホーク６で噛み合う通路に備えられた凹部２０に到達したタイヤ１７を示すもので、停止位置１１に正確に停車させることができる。検出装置は、乗入床７に投光管と受光管を備えた光電管を内蔵して、昇降リフト２に反射板１０が備えられている。【００２４】  タイヤ１７の前端側面２１には、第１検出器８があり、光軸を反射板１０に当て、反射光を受光管で受けて、遮光したときタイヤ１７を検知することになる。タイヤ１７の後端側面２２には、第２検出器９があり、光軸を反射板１０に当て、反射光を受光管で受けて、遮光したときタイヤ１７を検知することになる。【００２５】第１検出器８と第２検出器９は、検知すると表示灯１５に停車の表示が出て車両Ｃの運転者に知らせる。ここで行き過ぎると、第２検出器９が受光して検知しないことになり、表示灯１５には後退の表示が車両Ｃの運転者に示される。該運転者は、車両Ｃをバックにして第２検出器９が遮光するまで後退させることになる。更に、後退し過ぎると、第１検出器８が受光して表示灯１５に前進の表示をさせることになり、運転者は車両Ｃを前進させて、停止表示の位置で止めることになる。【００２６】図４は、タイヤ１７の停止位置１１を示す平面図であり、停止位置１１を中心にして凹部を形成している。乗入床７は、トレイホーク６と縞鋼板により形成され、昇降リフト２のリフトホーク５のところにトレイホーク６を噛み合せるようにしている。第１検出器８は、乗入床７に内蔵してあり、凹部２０の登り位置に光軸２３を通光させている。第２検出器９は、第１検出器８と同様に乗入床７に内蔵してあり、凹部２０の降り位置に光軸２３を通光させている。昇降リフト２には、光軸２３を反射させる反射板１０が固定部材１３に備えられている。反射板１０は、板材で表面に赤外線を反射させる鏡面のものであり、縦長に配置され昇降位置が若干上下方向に違っても反射させることができ、タイヤ１７位置を正確に検出させることができる。【００２７】（入庫動作説明）
入庫する車両Ｃは、駐車装置１の出入口１８から乗込場Ｓに乗り入れ、リフトホーク５とトレイホーク６とが噛みあい一体の通路上を走行する。車両の運転者は、前方のミラー１６に映る車両Ｃ位置を確認しながら凹部２０に前輪を入れる。凹部２０は、タイヤ１７を第２検出器９が検知して、表示灯１５に前進するように音声・光電文字・ライト色等の表示をすることで、運転者に知らせる。運転者は、表示灯１５に従い前進すると、タイヤ１７が第１検出器８に検知されると、表示灯１５に停止の表示がされ、車両Ｃを停車させサイドブレーキを掛けて乗込場Ｓから運転者が外に出る。【００２８】出入口１８には、図示略の操作盤があり、駐車室Ｘ・Ｙを指定する。昇降リフト２は、昇降装置２４が駆動回転して巻上げ、車両Ｃをリフトホーク５に搭載して上昇して、入庫する駐車室Ｘ・Ｙの上方で停止させる。横行トレイ３は、駐車室Ｘ・Ｙから昇降リフト２の下面の昇降空間Ｅに横行させる。【００２９】昇降リフト２は、横行トレイ３が下面に到達すると、下降してリフトホーク５とトレイホーク６がすれ違い、車両Ｃをトレイホーク６に移載させることで、横行トレイ３に車両Ｃを搭載する。横行トレイ３は、車両Ｃを搭載して駐車室Ｘ・Ｙに横行して収納させる。昇降リフト２は、乗込場Ｓまで下降して乗入床７と一体の通路を形成して、次の操作指令を待つことになる。【００３０】（出庫動作の説明）
出庫する車両Ｃは、駐車装置１の出入口１８にある操作盤で駐車室Ｘ・Ｙを指令すると、昇降リフト２が出庫車の駐車階の下段位置まで上昇する。出庫車を搭載した横行トレイ３は、昇降空間Ｅに横行すると昇降リフト２が上昇してトレイホーク６とリフトホーク５がすれ違い、昇降リフト２に車両Ｃを受け渡し、空になった横行トレイ３が元の駐車室Ｘ・Ｙに戻る。【００３１】昇降リフト２は、車両Ｃのタイヤ１７をリフトホーク５の凹部２０に搭載しているので、前後移動することなく安全に昇降空間Ｅを下降することができ、乗込場Ｓに到達する。乗込場Ｓには、図示略のターンテーブルを備えて方向転換させることもできる。出庫車は、運転して出入口１８から乗り出すことで出庫完了になる。
【図面の簡単な説明】
【００３２】
【図１】  駐車装置の正面図。
【図２】  駐車装置の縦断面図。
【図３】  タイヤ停止位置を示す側面図。
【図４】  タイヤ停止位置を示す平面図。
【図５】  従来の検出器で検知する、不適当な位置に停車したタイヤ位置を示す側面図。
【符号の説明】
【００３３】１    駐車装置
２    昇降リフト
３    横行トレイ
４    ガイドレール
５    リフトホーク
６    トレイホーク
７    乗入床
８    第１検出器
９    第２検出器
１０  反射板
１１  停止位置中心線
１２  横行装置
１３  固定部材
１４  索状体
１５  表示灯
１６  ミラー
１７  タイヤ
１８  出入口
１９  ゲート
Ｘ・Ｙ  駐車室
Ｅ      昇降空間
ＧＬ    地上面
Ｃ      車両
Ｓ      乗込場
Ｐ      ピット
【図１】
2006029038.tif 000003
【図２】
2006029038.tif 000004
【図３】
2006029038.tif 000005
【図４】
2006029038.tif 000006
【図５】
2006029038.tif 000007